(57)【特許請求の範囲】
【請求項１】
ブルドン管を内蔵し、圧力を測定すべき測定対象管に接続される接続ネジ部や株部が設けられた機械式圧力計であって、
電子式圧力計が接続される電子式圧力計接続口と、
前記電子式圧力計接続口に先端部が接続され、測定対象管内の圧力を前記電子式圧力計接続口に導く電子式圧力計用導管と、
前記ブルドン管の基端部が接続されると共に、前記電子式圧力計用導管の基端部が接続され、測定対象管内の圧力を前記ブルドン管と前記電子式圧力計用導管へ分岐する分岐部と、
前記株部に接続されると共に、前記分岐部に接続され、前記株部を介し測定対象管内の圧力を前記分岐部へ導く分岐部用導管と、
を有することを特徴とする機械式圧力計。
【発明の詳細な説明】
【技術分野】
【０００１】
本発明は、ブルドン管（以下同様、用語についてはJIS B 7505参照。）を内蔵した機械式圧力計に関し、特に、電子式圧力計（圧力センサー）も接続可能にした機械式圧力計に関する。
【背景技術】
【０００２】
工業用圧力計には、機械式圧力計と電子式圧力計（圧力センサー）があるが、それぞれ利点、欠点がある。機械式圧力計は、ブルドン管の変位を使用したものや、ダイヤフラム式圧力計、ベローズ式圧力計等があり、数値を読まなくても、およその値が一見して分かる点や、電源が不要で停電等の影響を受けない等の利点があって、現場指示計としては採用されることが多い（例えば、特許文献１参照。）。
【０００３】
一方、電子式圧力計（圧力センサー）は（例えば、特許文献２参照。）、計測値のデータを蓄積し、二次利用が可能で、遠隔地にデータ送信が可能な点などの利点があり、工業プラント等では集中制御室で集中監視・制御するために採用され、近年では故障予知の需要も高まっている。
【先行技術文献】
【特許文献】
【０００４】
【特許文献１】特開２０１５−１２７６９５号公報
【特許文献２】特開昭６１−６１０２９号公報
【発明の概要】
【発明が解決しようとする課題】
【０００５】
上記より、工業プラント等では機械式圧力計と電子式圧力計（圧力センサー）を併用していることも多く、原理の異なる計器を併設することで冗長性も確保できる。実際に、既設の機械式圧力計に計測値出力機能を追加できないかという問い合わせも増えているものの、今までこのような物は無かった。
【０００６】
また、例えば、指針の角度を読み取って間接的に計測値を出力するといった物はあるが、直接測定した計測値の出力機能を追加できる物は無かった。
【０００７】
そこで、本発明はこのような問題に着目してなされたもので、機械式圧力計に電子式圧力計を接続することができる機械式圧力計を提供することを目的とする。
【課題を解決するための手段】
【０００８】
前記目的を達成するため、本願発明に係る機械式圧力計は、ブルドン管を内蔵し、圧力を測定すべき測定対象管に接続される接続ネジ部や株部が設けられた機械式圧力計であって、電子式圧力計が接続される電子式圧力計接続口と、前記電子式圧力計接続口に先端部が接続され、測定対象管内の圧力を前記電子式圧力計接続口に導く電子式圧力計用導管と、前記ブルドン管の基端部が接続されると共に、前記電子式圧力計用導管の基端部が接続され、測定対象管内の圧力を前記ブルドン管と前記電子式圧力計用導管へ分岐する分岐部と、前記株部に接続されると共に、前記分岐部に接続され、前記株部を介し測定対象管内の圧力を前記分岐部へ導く分岐部用導管と、を有することを特徴とする。
また、本願発明に係る別の機械式圧力計は、ブルドン管を内蔵し、圧力を測定すべき測定対象管に接続される接続ネジ部や株部が設けられた機械式圧力計であって、前記株部には、前記ブルドン管へ測定対象管内の圧力を導く分岐部用導管が接続される分岐部用導管接続口と、電子式圧力計が接続される電子式圧力計接続口とが設けられていることを特徴とする。
【発明の効果】
【０００９】
本発明に係る機械式圧力計では、電子式圧力計接続口に電子式圧力計を接続することにより、ブルドン管による機械式で計測した圧力値のみでなく、電子式圧力計でも電子式圧力計用導管等を介してブルドン管と同じ圧力を計測することができるので、機械式圧力計に電子式圧力計を接続したり、必要ない場合は取外（分離）したり、さらには別の電子式圧力計に交換することが可能となり、使用勝手を向上させることができる。
【図面の簡単な説明】
【００１０】
【図１】(ａ)，(ｂ)それぞれ本発明に係る実施形態１の機械式圧力計の正面図、側面図である。
【図２】本発明に係る実施形態１の機械式圧力計の内部構造等を示す図である−Ａ線断面図である。
【図３】図１(ａ)におけるＡ−Ａ線断面図である。
【図４】(ａ)，(ｂ)それぞれ図２におけるＢ部分の拡大図、Ｃ部分の拡大図である。
【図５】本発明に係る実施形態１の機械式圧力計に圧力を計測する測定対象管を接続すると共に、電子式圧力計を接続した状態を示す正面図である。
【図６】(ａ)，(ｂ)それぞれ本発明に係る実施形態２の機械式圧力計の正面図、側面図である。
【図７】(ａ)，(ｂ)それぞれ本発明に係る実施形態２の機械式圧力計における株部のみを断面にした正面図、株部の拡大断面図である。
【発明を実施するための形態】
【００１１】
以下、本発明に係る機械式圧力計の実施形態１，２について、図面を参照しながら詳細に説明する。なお、下記に説明する実施形態の形状や寸法等は、あくまで、本発明の一例であり、本発明は、下記に説明する実施形態に限定されるものではない。
【００１２】
実施の形態１．
実施の形態１の機械式圧力計１は、図１(ａ)，(ｂ)や図２、図３等に示すように、ブルドン管１ａを内蔵し、圧力を測定すべき測定対象管２に接続される接続ネジ部１ｂや株部１ｃが設けられた圧力計で、電子式圧力計３（図５参照。）が接続される電子式圧力計接続口１ｄと、電子式圧力計接続口１ｄに先端部が接続され、測定対象管２（図５参照。）内の圧力を電子式圧力計接続口１ｄに導く電子式圧力計用導管１ｅと、ブルドン管１ａの基端部が接続されると共に、電子式圧力計用導管１ｅの基端部が接続され、測定対象管２内の圧力をブルドン管１ａと電子式圧力計用導管１ｅへ分岐する分岐部１ｆと、基端部が株部１ｃに接続される一方、先端部が分岐部１ｆに接続され、測定対象管２内の圧力を接続ネジ部１ｂおよび株部１ｃを介し分岐部へ導く分岐部用導管１ｇとを有する。
【００１３】
尚、図1〜図３において、符号の１ｈは外枠、１ｉは指針、１ｊは目盛板、１ｋは管先金具、１ｍは内機部、１ｎはケースである。
【００１４】
ブルドン管１ａは、図２(ａ)に示すように円形のブルドン管であり、内部は空洞で圧力によって変形するように構成されており、基端部は分岐部１ｆに接続される一方、先端部は管先金具１ｋに接続され、分岐部１ｆ側の基端部から管先金具１ｋ側の先端部に向かって時計周りに円を描くように形成されている。
【００１５】
接続ネジ部１ｂは、上述したように測定対象管２に接続される部分で、測定対象管２内の圧力をブルドン管１ａに伝達するため中空に構成されている。
【００１６】
株部１ｃは、接続ネジ部１ｂに測定対象管２を接続する際、レンチ等で掴んで押さえる部分で、測定対象管２内の圧力をブルドン管１ａに伝達するため接続ネジ部１ｂに連続して中空に構成されている。
【００１７】
電子式圧力計接続口１ｄは、図１や図２等に示すように例えばケース１ｎに設けられ、電子式圧力計３（図５参照。）が接続される部分で、図４(ｂ)等に示すように、例えば、Ｒｃ１／８規格の電子式圧力計３（図５参照。）の接続ネジ部(図示せず。)が接続される雌ネジ部１ｄ１が形成されている。
【００１８】
電子式圧力計用導管１ｅは、ブルドン管１ａや管先金具１ｋ、内機部１ｎ等の外側を通るようにケース１ｎ内に設けられ、基端部は分岐部１ｆに接続される一方、出力端は電子式圧力計接続口１ｄに接続されており、測定対象管２内の圧力を、接続ネジ部１ｂや株部１ｃおよび分岐部１ｆを介し電子式圧力計接続口１ｄへブルドン管１ａとは逆に反時計回りに導くように構成されている。
【００１９】
電子式圧力計用導管１ｅをブルドン管１ａとは逆回りに形成した理由は、図２等に示すように、分岐部１ｆを介してブルドン管１ａと電子式圧力計接続口１ｄとに圧力を分岐するため、電子式圧力計用導管１ｅをブルドン管１ａと同じ時計周りに形成した場合、分岐部１ｆのサイズが大きくなり過ぎて、ケース１ｎ内に収容できないおそれがあるため、電子式圧力計接続口１ｄを分岐部１ｆからブルドン管１ａとは反対方向に延びるようにするためである。
【００２０】
分岐部１ｆは、図４(ａ)に拡大して示すように分岐部用導管１ｇの先端部（出力端）と、分岐部用導管１ｅの基端部および電子式圧力計用導管１ｅの基端部とに接続され、分岐部用導管１ｇから伝わってきた測定対象管２内の圧力を分岐部用導管１ｅと電子式圧力計用導管１ｅとに分岐する。
【００２１】
分岐部用導管１ｇは、基端部が株部１ｃに接続される一方、先端部（出力端）が分岐部１ｆに接続され、株部１ｃを通る測定対象管２内の圧力を分岐部１ｆに導く管である。
【００２２】
そのため、実施形態１の機械式圧力計１では、接続ネジ部１ｂに測定対象管２を接続すると、測定対象管２内の圧力は株部１ｃおよび分岐部用導管１ｇを介して分岐部１ｆへ伝わる。
【００２３】
分岐部１ｆは、図４(ａ)に拡大して示すように分岐部用導管１ｇの先端部（出力端）と分岐部用導管１ｅの基端部および電子式圧力計用導管１ｅの基端部とに接続され、分岐部用導管１ｇから伝わってきた測定対象管２内の圧力を分岐部用導管１ｅと電子式圧力計用導管１ｅとに分岐する。
【００２４】
そのため、分岐部用導管１ｅは、分岐部１ｆで分岐された測定対象管２内の圧力に基づいて変形して管先金具１ｋを介して内機部１ｍにその分岐部用導管１ｅの変位量を伝達し、目盛板１ｊ上における指針１ｉが指す値により測定対象管２内の圧力を機械式のアナログ表示で示す。
【００２５】
その一方、電子式圧力計用導管１ｅに分岐された測定対象管２内の圧力は、電子式圧力計用導管１ｅを介して電子式圧力計接続口１ｄへ導かれる。
【００２６】
そのため、図５に示すように予め電子式圧力計接続口１ｄに電子式圧力計（圧力センサー）３を接続しておけば、電子式圧力計３にて電子式に測定対象管２内の圧力の値を検出して、その圧力値を定期的にメモリ(図示せず。)等に記憶したり、さらにはこの電子式圧力計３に接続されたパソコン(図示せず。)等に送信することができる。
【００２７】
従って、本発明に係る実施形態１の機械式圧力計１によれば、ブルドン管１ａの変位量に応じた指針１ｉが指す値に基づいてアナログ的に測定対象管２内の圧力を示すことが出来ると共に、電子式圧力計接続口１ｄに電子式圧力計（圧力センサー）３を接続することにより、電子式圧力計（圧力センサー）３でも電子式圧力計用導管１ｅ等を介してブルドン管１ａと同じ圧力を計測することができる。
【００２８】
そのため、ユーザは、機械式圧力計１の目盛板１ｊにおける指針１ｉが指す値に基づいて一目で測定対象管２の圧力値を認識できると共に、電子式圧力計接続口１ｄに接続した電子式圧力計（圧力センサー）３によって測定対象管２の圧力値を定期的にメモリ(図示せず。)等に記憶したり、さらにはこの電子式圧力計３に接続されたパソコン(図示せず。)等に送信することができ、非常に有用となる。
【００２９】
また、電子式圧力計（圧力センサー）３が不要な場合は、電子式圧力計接続口１ｄから取外（分離）したり、故障等して交換する場合には古い電子式圧力計（圧力センサー）３を電子式圧力計接続口１ｄから取外して新しい電子式圧力計に交換することも可能となるので、この点でも使用勝手を向上させることができる。
【００３０】
実施の形態２．
次に、本発明に係る実施形態２の機械式圧力計１’について説明する。
【００３１】
実施形態１の機械式圧力計１では、ケース１ｎ内に分岐部１ｆや電子式圧力計用導管１ｅ等を設け、電子式圧力計（圧力センサー）３が接続される電子式圧力計接続口１ｄをケース１ｎの上部に設けて説明したが、ケース１ｎ内に分岐部１ｆや電子式圧力計用導管１ｅ等を設ける分だけコストが上昇する。
【００３２】
そこで、実施形態２の機械式圧力計１’では、ケース１ｎ内の構造は従来の構造のままとし、図６(ａ)，(ｂ)や図７(ａ)，(ｂ)に示すように株部１ｃ’に横穴を開け、その横穴に電子式圧力計接続口１ｄ’を設け、圧力を分岐できるように構成したことを特徴とする。
【００３３】
つまり、実施形態２の機械式圧力計１’では、図６(ａ)，(ｂ)や図７(ａ)，(ｂ)に示すように株部１ｃ’に開けた横穴に、例えば、Ｍ５の雌ネジ、φ９．５のザグリ部１ｄ１’を形成して電子式圧力計接続口１ｄ’とする。
【００３４】
従って、本発明に係る実施形態２の機械式圧力計１’では株部１ｃ’に開けた横穴に電子式圧力計（圧力センサー）３の接続ネジ部１ｂが接続される電子式圧力計接続口１ｄ’としたため、実施形態１の機械式圧力計１と同様に、電子式圧力計接続口１ｄ’に電子式圧力計（圧力センサー）３を接続することにより、ブルドン管１ａによる機械式で計測した圧力値のみでなく、電子式圧力計（圧力センサー）３でもブルドン管１ａと同じ圧力を計測することができる。
【００３５】
そのため、実施形態１の機械式圧力計１と同様に、ユーザは、実施形態２の機械式圧力計１’の目盛板１ｊにおける指針１ｉが指す値に基づいて一目で測定対象管２の圧力値を認識できると共に、株部１ｃ’に設けた電子式圧力計接続口１ｄ’に接続した電子式圧力計（圧力センサー）３によって測定対象管２の圧力値を定期的にメモリ(図示せず。)等に記憶したり、さらにはこの電子式圧力計３に接続されたパソコン(図示せず。)等に送信することができ、非常に有用となる。
【００３６】
特に、実施形態２の機械式圧力計１’では、株部１ｃ’に電子式圧力計接続口１ｄ’を設け、ケース１ｎ内に分岐部１ｆや電子式圧力計用導管１ｅ等を設けずに従来のままの構成としたため、実施形態１の機械式圧力計１とは異なりケース１ｎ内に分岐部１ｆや電子式圧力計用導管１ｅ等が不要となるので、その分だけコストを低減することができる。
【符号の説明】
【００３７】
１，１’  機械式圧力計
１ａ  ブルドン管
１ｂ  接続ネジ部
１ｃ，１ｃ’  株部
１ｄ，１ｄ’  電子式圧力計接続口
１ｄ１  雌ネジ部
１ｄ１’  ザグリ部
１ｅ  電子式圧力計用導管
１ｆ  分岐部
１ｇ  分岐部用導管
１ｈ  外枠
１ｉ  指針
１ｊ  目盛板
１ｋ  管先金具
１ｍ  内機部
１ｎ  ケース
【要約】
【課題】機械式圧力計に電子式圧力計を接続できるように構成する。
【解決手段】ブルドン管１ａを内蔵し、測定対象管に接続される接続ネジ部１ｂや株部１ｃが設けられた機械式圧力計１であって、電子式圧力計の接続ネジ部が接続される電子式圧力計接続口１ｄと、株部１ｃを介しブルドン管１ａへ測定対象管２内の圧力を導く分岐部用導管１ｅと、株部１ｃを介し電子式圧力計接続口１ｄへ測定対象管内の圧力を導く電子式圧力計用導管１ｅとを有する。
【選択図】図２【図１】
0006845593.tif 000002
【図２】
0006845593.tif 000003
【図３】
0006845593.tif 000004
【図４】
0006845593.tif 000005
【図５】
0006845593.tif 000006
【図６】
0006845593.tif 000007
【図７】
0006845593.tif 000008